(57)【要約】【課題】  閃光装置を内蔵したカメラ等を不用意に落下させてコンデンサに衝撃荷重が掛かっても、コンデンサが破裂し難く構成したコンデンサ。【解決手段】  円柱状に形成されて一方の端面から陽極用端子と陰極用端子とを突出させたコンデンサにおいて、前記陽極用端子と前記陰極用端子とに交差して前記コンデンサの中心軸に沿った平面を仮想したとき、前記コンデンサにおける前記平面と交差する外周壁を略中央とした外周壁にシート状の緩衝部材を貼着したこと。【選択図】        図３
2006251124.tif 000002
【特許請求の範囲】
【請求項１】
円柱状に形成されて一方の端面から陽極用端子と陰極用端子とを突出させたコンデンサにおいて、
前記陽極用端子と前記陰極用端子とに交差して前記コンデンサの中心軸に沿った平面を仮想したとき、前記コンデンサにおける前記平面と交差する外周壁を略中央とした外周壁にシート状の緩衝部材を貼着したことを特徴とするコンデンサ。
【請求項２】
閃光発光させるための電荷を帯電することを特徴とする請求項１に記載のコンデンサ。
【請求項３】
円柱状に形成されて一方の端面から陽極用端子と陰極用端子とを突出させ、閃光を発光させるための電荷を帯電するコンデンサと、
略円弧状に形成された支持部材と、
シート状の緩衝部材と、を設け、
前記陽極用端子と前記陰極用端子とに交差して前記コンデンサの中心軸に沿った平面を仮想したとき、前記コンデンサにおける前記平面と交差する外周壁を略中央とした外周壁を前記支持部材が支持可能な姿勢に前記コンデンサを配置し、前記緩衝部材を介して前記コンデンサを前記支持部材に貼着したことを特徴とする閃光装置。
【請求項４】
請求項３に記載の閃光装置を内蔵したことを特徴とするカメラ。
【請求項５】
円柱状に形成されて一方の端面から陽極用端子と陰極用端子とを突出させ、閃光を発光させるための電荷を帯電するコンデンサと、
略円弧状に形成された支持部材と、
シート状の緩衝部材と、を設け、
前記陽極用端子と前記陰極用端子とに交差して前記コンデンサの中心軸に沿った平面を仮想したとき、前記コンデンサにおける前記平面と交差する外周壁を略中央とした外周壁に前記緩衝部材の一方の面を貼着する工程と、
前記コンデンサに貼着した緩衝部材の他方の面を前記支持部材に貼着する工程と、
を有することを特徴とする閃光装置の製造方法。
【請求項６】
円柱状に形成されて一方の端面から陽極用端子と陰極用端子とを突出させ、閃光を発光させるための電荷を帯電するコンデンサを設けた閃光装置において、
前記陽極用端子と前記陰極用端子の近傍に放電抵抗と接続した導電性部材を配置したことを特徴とする閃光装置。
【請求項７】
円柱状に形成されて一方の端面から陽極用端子と陰極用端子とを突出させ、閃光を発光させるための電荷を帯電するコンデンサを設けた閃光装置において、
前記コンデンサと放電抵抗と共に閉回路を形成するスイッチを前記コンデンサの近傍に配置したことを特徴とする閃光装置。
【請求項８】
請求項６又は請求項７に記載の閃光装置を内蔵したことを特徴とするカメラ。
【発明の詳細な説明】
【技術分野】
【０００１】
本発明は閃光装置に用いるコンデンサや、カメラに用いる閃光装置に関し、ユーザーが不用意に閃光装置やカメラを落下させたときにも、コンデンサが破裂し難く構成したものである。
【背景技術】
【０００２】
近年の殆どのカメラはストロボ（閃光装置）を内蔵しており、またカメラの小型化が促進されている。そして、カメラが小型化してもストロボの発光量を減少させることなく、むしろ増大させることが要求されている。ストロボの発光量は主としてコンデンサの容量によって決定されるが、大型のコンデンサをカメラ内の限られた小さなスペースに収納することは困難であるので、体積を増大させることなく容量がより大きいコンデンサが要求される。このような要求の元で製造されたコンデンサは、従来のコンデンサと比較して耐電圧のためのスペースを充分に確保することが困難になっている。
【０００３】
一方、カメラは小型化及び軽量化して且つ安価になったことがあって、従前より気軽に使用されており、カメラを片手のみで保持して撮影するユーザーが多数いる。このために、不用意にカメラを落下させる事故も多い。
【０００４】
カメラを高い位置からコンクリートの床等に落下させると、大きな衝撃荷重が掛かり、内部のストロボ用コンデンサが破裂することがある。即ち、コンデンサに大きな衝撃荷重が掛かると変形し、アルミ箔を絶縁する絶縁シートが破断する。コンデンサが充電状態だとアルミ箔に数百ボルトの高電圧が掛かっているので、アルミ箔がショートしてコンデンサが破裂することがある。また、直ちにコンデンサが破裂しなくても、絶縁が不充分になった状態で使用を続けると、不意にコンデンサがショートして大きな音を発し、ユーザーを驚かせることになる。
【０００５】
しかし、このような問題に対する対策は、現在のところは知られていない。
【０００６】
但し、カメラに着脱自在な閃光装置において、工事現場でストロボをぶつけて破損させることを苦慮して、発光部を形成する筐体の表面を硬質ゴムで被覆した閃光装置は知られている（特許文献１参照）。
【特許文献１】実開平７−１６９３１号公報
【発明の開示】
【発明が解決しようとする課題】
【０００７】
以上の如く、本発明は閃光装置若しくは閃光装置を内蔵したカメラを不用意に落下させてコンデンサに衝撃荷重が掛かっても、コンデンサが破裂し難く構成したコンデンサ、閃光装置、カメラ及び閃光装置の製造方法を提案することを目的とする。
【課題を解決するための手段】
【０００８】
上記目的は下記のいずれかの手段によって達成される。
【０００９】
［請求項１］
円柱状に形成されて一方の端面から陽極用端子と陰極用端子とを突出させたコンデンサにおいて、前記陽極用端子と前記陰極用端子とに交差して前記コンデンサの中心軸に沿った平面を仮想したとき、前記コンデンサにおける前記平面と交差する外周壁を略中央とした外周壁にシート状の緩衝部材を貼着したことを特徴とするコンデンサ。
【００１０】
［請求項２］
閃光発光させるための電荷を帯電することを特徴とする請求項１に記載のコンデンサ。
【００１１】
［請求項３］
円柱状に形成されて一方の端面から陽極用端子と陰極用端子とを突出させ、閃光を発光させるための電荷を帯電するコンデンサと、略円弧状に形成された支持部材と、シート状の緩衝部材と、を設け、前記陽極用端子と前記陰極用端子とに交差して前記コンデンサの中心軸に沿った平面を仮想したとき、前記コンデンサにおける前記平面と交差する外周壁を略中央とした外周壁を前記支持部材が支持可能な姿勢に前記コンデンサを配置し、前記緩衝部材を介して前記コンデンサを前記支持部材に貼着したことを特徴とする閃光装置。
【００１２】
［請求項４］
請求項３に記載の閃光装置を内蔵したことを特徴とするカメラ。
【００１３】
［請求項５］
円柱状に形成されて一方の端面から陽極用端子と陰極用端子とを突出させ、閃光を発光させるための電荷を帯電するコンデンサと、略円弧状に形成された支持部材と、シート状の緩衝部材と、を設け、前記陽極用端子と前記陰極用端子とに交差して前記コンデンサの中心軸に沿った平面を仮想したとき、前記コンデンサにおける前記平面と交差する外周壁を略中央とした外周壁に前記緩衝部材の一方の面を貼着する工程と、前記コンデンサに貼着した緩衝部材の他方の面を前記支持部材に貼着する工程と、を有することを特徴とする閃光装置の製造方法。
【００１４】
［請求項６］
円柱状に形成されて一方の端面から陽極用端子と陰極用端子とを突出させ、閃光を発光させるための電荷を帯電するコンデンサを設けた閃光装置において、前記陽極用端子と前記陰極用端子の近傍に放電抵抗と接続した導電性部材を配置したことを特徴とする閃光装置。
【００１５】
［請求項７］
円柱状に形成されて一方の端面から陽極用端子と陰極用端子とを突出させ、閃光を発光させるための電荷を帯電するコンデンサを設けた閃光装置において、前記コンデンサと放電抵抗と共に閉回路を形成するスイッチを前記コンデンサの近傍に配置したことを特徴とする閃光装置。
【００１６】
［請求項８］
請求項６又は請求項７に記載の閃光装置を内蔵したことを特徴とするカメラ。
【発明の効果】
【００１７】
請求項１〜５のコンデンサ、閃光装置、カメラ及び閃光装置の製造方法によれば、コンデンサが耐衝撃性のある姿勢に貼着されているので、閃光装置や閃光装置を内蔵したカメラを高い位置から落下させたり、コンクリートの上等の硬い場所に不用意に落下させるようなことがあっても、コンデンサが容易に破裂し難くなるという効果を奏する。
【００１８】
請求項６〜８の閃光装置及びカメラによれば、コンデンサに衝撃が掛かった瞬間に充電されていた電荷が放電されるので、閃光装置や閃光装置を内蔵したカメラを高い位置から落下させたり、コンクリートの上等の硬い場所に不用意に落下させるようなことがあっても、コンデンサが容易に破裂し難くなるという効果を奏する。
【発明を実施するための最良の形態】
【００１９】
先ず、ストロボ（閃光装置）における、閃光を発光させるための電荷を帯電するコンデンサ（以下、ストロボ回路における他のコンデンサと区別するためメインコンデンサと称す）の配置について説明する。
【００２０】
図１は外装部材を挿着する前のカメラの正面図、図２はメインコンデンサの三次元の方向を示す図、図３はメインコンデンサを装着する図である。
【００２１】
図１において、中央には撮像レンズＬが配置され、その上方にはメインコンデンサＣが配置され、メインコンデンサＣの右方には閃光を発光させる発光部Ｆが配置されている。
【００２２】
メインコンデンサＣは円柱状に形成され、一方の端面から陽極用リード（陽極用端子）Ｃ１と陰極用リード（陰極用端子）Ｃ２とを突出させている。そして、第１プリント配線基板２に設けた二つの導電性パターン（不図示）に、陽極用リードＣ１と陰極用リードＣ２とを各々半田付けし、メインコンデンサＣと第１プリント配線基板２とを一体化している。
【００２３】
メインコンデンサＣは各種の撮影機構を保持する本体１に設けた支持部材１ａに支持されている。即ち、支持部材１ａはカメラの厚み方向に略円弧状に形成されていて、支持部材１ａは衝撃を和らげるためのシート状の緩衝部材３を介してメインコンデンサＣの外周壁を支持している。緩衝部材３としては例えばウレタンシートが望ましい。そして、メインコンデンサＣの外周壁に両面テープで緩衝部材３の一方の面を貼着し、更に緩衝部材３の他方の面を両面テープで支持部材１ａに貼着している。このように緩衝部材３を介してメインコンデンサＣの外周壁を貼着・支持することにより、カメラを落下させたときの衝撃を和らげることができる。
【００２４】
また、メインコンデンサＣを長手方向に支持する支持部材１ｂが支持部材１ａと垂直に設けられている。図１においては、支持部材１ｂは衝撃を和らげる緩衝部材４を介してメインコンデンサＣのリードがない端面を支持している。緩衝部材４としては例えばシリコーンを原料とした非常に柔らかいゲル状素材（具体的にはアルファゲル（商品名））等が望ましい。そして、メインコンデンサＣのリードがない端面に両面テープで緩衝部材４の一方の面を貼着し、更に緩衝部材４の他方の面を両面テープで支持部材１ｂに貼着している。このように、緩衝部材４を介してメインコンデンサＣの端面を貼着・支持することにより、カメラを落下させたときの衝撃によって緩衝部材３の表裏何れかの両面テープが剥離するようなことが生じても、メインコンデンサＣが長手方向に移動することを阻止することができる。
【００２５】
第１プリント配線基板２の左方には第２プリント配線基板５が配置されていて、第２プリント配線基板５にはストロボ回路を構成する各種の電気部品が実装されている。そして、陽極用リードＣ１と陰極用リードＣ２の導電性パターンがリード線で第２プリント配線基板５に設けた導電性パターンと接続している。
【００２６】
発光部Ｆは閃光を発するキセノン管Ｘｅ、発した閃光を反射して所定の角度で照射するための反射傘Ｆ１及びこれらを保持する保持枠Ｆ２等から成る。
【００２７】
そして、メインコンデンサＣ、ストロボ回路を構成する各種の電気部品が実装されているプリント配線基板（１枚でも複数枚でもよい）、発光部Ｆ等を含めてストロボ装置と称す。
【００２８】
以上の如くメインコンデンサＣを緩衝部材３，４を介して支持することによって衝撃が掛かったときに緩和することができるが、カメラが予想以上に高い場所から落下したときや、コンクリートの上等の硬い場所に落下したときには大きな衝撃荷重が掛かって、メインコンデンサＣが破裂することがある。
【００２９】
この問題に関する対策のため、発明者達は種々の検討や実験に鋭意努力した結果、メインコンデンサＣの姿勢によって破裂の程度に差が生ずることを見出した。即ち、メインコンデンサＣを充電した状態で図２に示すＸａ方向、Ｘｂ方向、Ｙａ方向、Ｙｂ方向、Ｚａ方向及びＺｂ方向の落下試験を行った。この結果、Ｘａ方向とＸｂ方向の間、Ｙａ方向とＹｂ方向との間、及びＺａ方向とＺｂ方向との間に有意差はないものの、Ｙａ，Ｙｂ方向及びＺａ，Ｚｂ方向に較べてＸａ，Ｘｂ方向が非常に破裂し易いことが分かった。Ｙａ，Ｙｂ方向及びＺａ，Ｚｂ方向に関しては２０回以上の落下試験に耐えられるが、Ｘａ，Ｘｂ方向に関しては数回の落下試験によってメインコンデンサＣが破裂した。
【００３０】
カメラを落下させたときにメインコンデンサＣに掛かる衝撃は、メインコンデンサＣを支持する部材から伝達される。従って、メインコンデンサＣの外周壁を支持する部分は、Ｙａ，Ｙｂとすることが望ましい。言い換えれば、陽極用リードＣ１と陰極用リードＣ２とに交差してメインコンデンサＣの中心軸に沿った平面を仮想したとき、該平面と交差する外周壁を略中央とした外周壁を支持部材１ａが支持可能な姿勢にメインコンデンサＣを配置することが望ましい。
【００３１】
そこで、先ず図３（Ａ）に示すように、陽極用リードＣ１と陰極用リードＣ２とに交差してメインコンデンサＣの中心軸Ｃ３に沿った平面Ｃ４を仮想し、平面Ｃ４と交差する外周壁Ｃ５を略中央にした外周壁に、前述の緩衝部材３の一方の面を両面テープで貼着する。
【００３２】
次に、図３（Ｂ）に示すように、緩衝部材３の他方の面を略円弧状に形成された支持部材１ａに両面テープで貼着すればよい。
【００３３】
このように、メインコンデンサＣを配置することによって、カメラを落下させたときにメインコンデンサＣには破裂に強い方向から衝撃が掛かるので、高い位置から落下したり、硬い場所に落下したりするような悪条件の場合であっても、メインコンデンサＣが破裂する確率は非常に少なくなる。
【００３４】
なお、図１におけるカメラの撮影レンズＬが上方を向く姿勢（光軸が鉛直方向を向いた姿勢）でカメラを落下させた場合には、図３（Ｂ）においてはメインコンデンサＣが横方向に落下するが、メインコンデンサＣは支持部材１ａに貼着されているので、この場合も衝撃は支持部材１ａを介してメインコンデンサＣの破裂に強い方向に掛かる。
【００３５】
また、このように配置したメインコンデンサを有するカメラとしては、フィルムカメラであっても、デジタルカメラであってもよいし、携帯電話機に内蔵したカメラであってもよい。更に、前述の如く配置したメインコンデンサを有するならば、カメラ等に外部から着脱可能なストロボ装置であってもよい。
【００３６】
次に、メインコンデンサが更に破裂し難くなるようにした構成について説明する。
【００３７】
カメラやストロボ装置を落下させた場合にメインコンデンサが破裂するのは、メインコンデンサが充電しているときである。そこで、所定の値以上の衝撃荷重がメインコンデンサに掛かった場合は、メインコンデンサが移動して、充電しているメインコンデンサを放電させるようにすればよい。
【００３８】
例えば、図４に示す如く、メインコンデンサＣを両面テープｔ１、緩衝部材３、両面テープｔ２を介して、メインコンデンサＣを前述の姿勢で支持部材１ａに貼着する。そして、メインコンデンサＣを有するカメラやストロボ装置が落下して、所定の値以上の衝撃がメインコンデンサに掛かった場合には、両面テープｔ１，ｔ２の少なくとも何れか一方がメインコンデンサＣを保持することができなくなる。この場合に、メインコンデンサＣの右方の端面は図１と同様に支持部材１ａと垂直に設けた支持部材１ｂがあるので、メインコンデンサＣは右方に移動することはないが、左方には移動する。すると、陽極用リードＣ１と陰極用リードＣ２も左方に移動して、第２プリント配線基板５に配置した導電性パターン５ａ，５ｂに当接する。導電性パターン５ａ，５ｂには放電抵抗が接続されているので、陽極用リードＣ１と陰極用リードＣ２とが導電性パターン５ａ，５ｂに当接した瞬間にメインコンデンサＣに充電されていた電荷は放電される。従って、メインコンデンサＣが破裂する確率は更に激減する。
【００３９】
なお、導電性パターン５ａ，５ｂを設けたプリント配線基板としては、他のストロボ用電気部品を実装していてもよいし、導電性パターン５ａ，５ｂと放電抵抗のみを設けた専用のプリント配線基板であってもよい。
【００４０】
ここで、ストロボ装置を構成する回路図の一例を図５に基づいて説明する。
【００４１】
図５において、外部操作によりメインスイッチＳ1，Ｓ2をオンにすると、電池Ｂの電流が抵抗Ｒ1を介してトランジスタＴRに流れて発振を開始し、発振トランスＴの二次側は３００〜３５０Ｖの高圧に昇圧される。この二次側の電流をダイオードＤによって整流し、抵抗Ｒ3と直列に接続されたトリガーコンデンサＣT及びメインコンデンサＣMを充電する。メインコンデンサＣMが所定の電圧に充電されると、抵抗Ｒ2と直列に接続された発光ダイオードＤLが点灯する。
【００４２】
撮影のときには、露光動作に連動してトリガースイッチＳTがオンになる。これによって、トリガーコンデンサＣT、トリガースイッチＳT、トリガートランスＴCの一次側、及びメインスイッチＳ1，Ｓ2によって閉回路が形成され、トリガーコンデンサＣTに充電されていた電荷がトリガートランスＴCの一次側に放電する。この結果、トリガートランスＴCの二次側には更なる高圧が発生し、キセノン管Ｘｅのトリガー電極に印加されるので、キセノン管Ｘｅの中のイオン化されたキセノン原子が陰極より飛び出した電子と衝突して励起され、メインコンデンサＣMの放電に伴ってキセノン管Ｘｅは発光する。
【００４３】
ここで、メインコンデンサＣに衝撃が掛かると、前述の如く陽極用リードＣ１と陰極用リードＣ２とが導電性パターン５ａ，５ｂに当接するが、導電性パターン５ａ，５ｂは例えば２００Ωの放電抵抗ＲDに接続されているので、メインコンデンサＣは直ちに放電する。
【００４４】
なお、陽極用リードＣ１と陰極用リードＣ２とが当接する部分は必ずしも導電性パターンでなくてもよく、導電性の部材ならどのようなものであってもよい。
【００４５】
図６はメインコンデンサＣを放電させる他の形態の図である。
【００４６】
図６において、メインコンデンサＣの外周壁はゴムやスポンジ等の弾力のある部材から形成された緩衝部材３を介して両面テープｔ１，ｔ２によって支持部材１ａに保持されている。そして、緩衝部材３の下方にはスイッチ７が配置されていて、スイッチ７の可動接片７ａが緩衝部材３に設けた孔に挿入されている。
【００４７】
メインコンデンサＣを有するカメラやストロボ装置が落下して、所定の値以上の衝撃がメインコンデンサに掛かった場合には、緩衝部材３が圧縮し、メインコンデンサＣの外周壁がスイッチ７の可動接片７ａを押圧するので、スイッチ７はオンになる。スイッチ７はメインコンデンサＣに接続されていていて、且つ放電抵抗が接続されているので、メインコンデンサＣに充電されていた電荷は放電される。従って、メインコンデンサＣが破裂する確率は更に激減する。
【００４８】
図７はスイッチ７を接続したストロボ装置を構成する回路図の一例である。
【００４９】
充電回路や発光回路は図５と同様であるので、説明は省略する。スイッチ７が放電抵抗ＲDとメインコンデンサＣと共に閉回路を形成するように接続されている。従って、衝撃によってスイッチ７がオンになると、放電抵抗ＲDによってメインコンデンサＣは直ちに放電する。
【００５０】
なお、メインコンデンサＣの外周壁でスイッチ７を作動させるのではなく、メインコンデンサＣの端子がない側の端面でスイッチ７を作動させようにしてもよい。
【００５１】
更に、以上の如く説明した各形態のメインコンデンサの陽極用端子と陰極用端子はリードタイプであったが、ラグ端子であっても全く同様である。
【図面の簡単な説明】
【００５２】
【図１】外装部材を挿着する前のカメラの正面図である。
【図２】メインコンデンサの三次元の方向を示す図である。
【図３】メインコンデンサを装着する図である。
【図４】メインコンデンサのリードの近傍に放電抵抗と接続した導電性パターンを配置した図である。
【図５】図４の構成に対応するストロボ回路図である。
【図６】メインコンデンサの外周壁の近傍に放電抵抗と接続したスイッチを配置した図である。
【図７】図６の構成に対応するストロボ回路図である。
【符号の説明】
【００５３】
Ｃ  メインコンデンサ
Ｃ１  陽極用リード
Ｃ２  陰極用リード
Ｃ３  中心軸
Ｃ４  平面
Ｃ５  外周壁
ｔ１，ｔ２  両面テープ
ＲD  放電抵抗
１ａ，１ｂ  支持部材
２  第１プリント配線基板
３，４  緩衝部材
５  第２プリント配線基板
５ａ，５ｂ  導電性パターン
７  スイッチ
【図１】
2006251124.tif 000003
【図２】
2006251124.tif 000004
【図３】
2006251124.tif 000005
【図４】
2006251124.tif 000006
【図５】
2006251124.tif 000007
【図６】
2006251124.tif 000008
【図７】
2006251124.tif 000009